(57)【要約】【課題】  本発明は釣り用仕掛けケースに係り、仕掛けの収納，取出し等の際に仕掛けが絡まず、収納や取出しが容易で作業性に優れた釣り用仕掛けケースを提供することを目的とする。【解決手段】  請求項１に係る仕掛けケースは、収納ケース内に、仕掛けの釣針保持部を有する仕掛け取付用ベース体と、当該仕掛け取付用ベース体の上面に対し起伏可能な仕掛け押さえ片を設けたことを特徴とする。そして、請求項２に係る発明は、請求項１に記載の仕掛けケースに於て、前記仕掛け押さえ片は、仕掛け取付用ベース体の上面に伏せた状態で、その先端が当該仕掛け取付用ベース体から離間する方向に屈曲していることを特徴とし、請求項３に係る発明は、請求項１または請求項２に記載の仕掛けケースに於て、前記仕掛け押さえ片は、対向して起伏可能に配置されていることを特徴とする。【選択図】    図１
2007174961.tif 000002
【特許請求の範囲】
【請求項１】
収納ケース内に、仕掛けの釣針保持部を有する仕掛け取付用ベース体と、当該仕掛け取付用ベース体の上面に対し起伏可能な仕掛け押さえ片を設けたことを特徴とする釣り用仕掛けケース。
【請求項２】
前記仕掛け押さえ片は、仕掛け取付用ベース体の上面に伏せた状態で、その先端が当該仕掛け取付用ベース体から離間する方向に屈曲していることを特徴とする請求項１に記載の釣り用仕掛けケース。
【請求項３】
前記仕掛け押さえ片は、対向して起伏可能に配置されていることを特徴とする請求項１または請求項２に記載の釣り用仕掛けケース。
【請求項４】
前記仕掛け押さえ片は、仕掛け取付用ベース体の上面に伏せた状態で、対向する仕掛け押さえ片と重合しないように並設されていることを特徴とする請求項３に記載の釣り用仕掛けケース。
【発明の詳細な説明】
【技術分野】
【０００１】
本発明は、釣り用の仕掛けを収納，携帯する釣り用仕掛けケースに関する。
【背景技術】
【０００２】
釣針に比較的短い釣糸（ハリス）が取り付いた釣り用の仕掛けを収納，携帯する釣り用仕掛けケース（以下、「仕掛けケース」という）として、従来、特許文献１に開示されるものが知られている。
図４及び図５は特許文献１に開示された仕掛けケースを示し、図中、１は皮や織物等で形成された縦長な可撓性シートで、その内面にパイル織物の如く多数のループ３ａ・・・群からなるパイル面３が設けられている。
【０００３】
また、可撓性シート１の上端部は、仕掛け５の釣針７を係合させる釣針係合部９が切り欠かれ、更に可撓性シート１の上端裏面には、携帯時に釣針係合部９を覆う可撓性を有する蓋片１１が取り付けられている。
そして、可撓性シート１の一側縁に、パイル面３のループ３ａ・・群に係止可能なキノコ形合成樹脂成形体からなる係止部１３が内面に形成された帯片１５が取り付けられており、この仕掛けケース１７は、釣針係合部９に釣針７を係合し、仕掛け５の釣糸１９を可撓性シート１のパイル面３に沿わせて帯片１５をパイル面３に重ね合わせれば、係止部１３がループ３ａ・・群に係止して可撓性シート１と帯片１５とで釣糸１９が挟持できるようになっている。
【特許文献１】実公昭５０−１５９８９号公報
【発明の開示】
【発明が解決しようとする課題】
【０００４】
しかし乍ら、前記仕掛けケース１７は、例えば１本の仕掛け５を取り出すために帯片１５をパイル面３から引き剥がすと、帯片１５に設けた係止部１３に他の仕掛け５の釣糸１９が張り付いてきてしまい、これらを剥がす際に釣糸１９が絡まってしまう欠点があった。
また、反対に複数本の仕掛け５が仕掛けケース１７に収納されている場合に、更に仕掛けを収納しようと帯片１５をパイル面３から引き剥がした場合にも、同様に帯片１５の係止部１３に、仕掛けケース１７に既に収納されていた仕掛け５の釣糸１９が張り付いてきてしまう煩わしさがあった。
【０００５】
更に、帯片１５をパイル面３に重ね合わせる際に、帯片１５を可撓性シート１の一側縁側から閉じると、釣糸１９が他方側へ逃げて抑え込むことができない場合もあるため、帯片１５を閉じる際には他方の手で釣糸１９をパイル面３に抑えておかなければならない煩わしさもあった。
本発明は斯かる実情に鑑み案出されたもので、仕掛けの収納，取出し等の際に仕掛け（釣糸）が絡まず、収納や取出しが容易で作業性に優れた仕掛けケースを提供することを目的とする。
【課題を解決するための手段】
【０００６】
斯かる目的を達成するため、請求項１に係る仕掛けケースは、収納ケース内に、仕掛けの釣針保持部を有する仕掛け取付用ベース体と、当該仕掛け取付用ベース体の上面に対し起伏可能な仕掛け押さえ片を設けたことを特徴とする。
そして、請求項２に係る発明は、請求項１に記載の仕掛けケースに於て、前記仕掛け押さえ片は、仕掛け取付用ベース体の上面に伏せた状態で、その先端が当該仕掛け取付用ベース体から離間する方向に屈曲していることを特徴とし、請求項３に係る発明は、請求項１または請求項２に記載の仕掛けケースに於て、前記仕掛け押さえ片は、対向して起伏可能に配置されていることを特徴とする。
【０００７】
更に、請求項４に係る発明は、請求項３に記載の仕掛けケースに於て、前記仕掛け押さえ片は、仕掛け取付用ベース体の上面に伏せた状態で、対向する仕掛け押さえ片と重合しないように並設されていることを特徴とする。
【発明の効果】
【０００８】
請求項１に係る発明によれば、仕掛け取付用ベース体の釣針保持部に取り付けた仕掛けを仕掛け押さえ片が押圧，保持するため、仕掛けの移動が規制されて仕掛けが絡まることがなくなる利点を有する。
そして、請求項２に係る発明によれば、仕掛け押さえ片を伏せたままで、他の仕掛けを仕掛け押さえ片の下方に差し込むことができ、請求項３及び請求項４に係る発明によれば、両仕掛け押さえ片が仕掛け取付用ベース体の左右両側から中央側に倒れて閉じるため、一方の仕掛け押さえ片を閉じる際に仕掛けが逃げても、他方の仕掛け押さえ片でこれを確実に押さえ込むことができ、仕掛けの押さえ損ねが防止できる利点を有する。
【発明を実施するための最良の形態】
【０００９】
以下、本発明の実施形態を図面に基づいて詳細に説明する。
図１及び図２は請求項１乃至請求項４に係る仕掛けケースの第一実施形態を示し、図中、２１は硬質の合成樹脂で形成された平面視矩形状の縦長な収納ケースで、収納ケース２１は、周縁部に側壁２３が立設されて上部が開口する浅底な皿状に形成され、この開口を開閉可能に閉塞する蓋体２５を有している。
【００１０】
そして、収納ケース２１の長手方向の一端側側壁２３に収納ケース２１と同一材料で形成された蓋体２５は、収納ケース２１，蓋体２５間に差し込んだ軸によりヒンジ部２７を介して回動自在に連結されており、蓋体２５の周縁部には、当該蓋体２５を収納ケース２１に被せた際に前記側壁２３の先端（上面）２９に当接する側壁３１が設けられている。
尚、図示しないが、側壁２３の先端２９に当接する側壁３１の先端（下面）３３には、水の浸入を防ぐ防水ゴムや合成樹脂からなるパッキングが貼着されている。そして、側壁３１の高さは側壁２３の高さ（図２中、Ｈ）よりも短寸に設定されている。
【００１１】
また、図１に示すように収納ケース２１の長手方向の他端側側壁２３には、先端に鉤状の係合部３５が形成された可撓性を有する帯状の蓋止め部材３７が回動自在に軸で支持されており、収納ケース２１に被せた蓋体２５の上部角部に上記係合部３５が係合して、蓋体２５の不要な開きを防止している。
そして、収納ケース２１内に、釣針保持部３９を有する仕掛け取付用ベース体４１が装着されている。
【００１２】
図１及び図２に示すように仕掛け取付用ベース体４１は、硬質の合成樹脂を材料として収納ケース２１内に密に収納可能な大きさに形成されており、その周縁部に収納ケース２１の内底部４３に当接する脚部突片４５が一体成形されている。そして、脚部突片４５によって収納ケース２１内に支持された仕掛け取付用ベース体４１は、その上面４１ａが前記側壁２３よりも低くなるように設計されており、斯かる構造によって、収納ケース２１内の仕掛け取付用ベース体４１上に仕掛け４７の収納空間Ａが設けられている。
【００１３】
そして、仕掛け取付用ベース体４１の上面４１ａには、収納ケース２１の長手方向に沿って断面コ字状の溝４９が等間隔に複数形成されて、各溝４９内にスポンジ（発泡合成樹脂）５１が嵌合されており、これらは、溝４９とスポンジ５１で仕掛け４７の釣針５３を挟持したり、また、釣針５３を直接スポンジ５１に刺して仕掛け取付用ベース体４１に保持する釣針保持部３９を構成している。
【００１４】
尚、釣針保持部は、例えばスポンジに代えて釣針５３を吸着して保持する磁石等、他の構造を用いてもよい。
更に、仕掛け取付用ベース体４１の長手方向の略中間に、収納ケース２１と同一材料で形成された左右一対の平板状の仕掛け押さえ片５５，５７が取り付けられている。
図示するように仕掛け押さえ片５５，５７は、仕掛け取付用ベース体４１の長手方向の略中間の左右上面４１ａに回動可能に枢着されて、中央側に対向する方向に倒れるが、両者は真正面に対向して設けられており、左右両側から仕掛け取付用ベース体４１の上面４１ａに対し起伏可能となっている。
【００１５】
そして、上述したように両仕掛け押さえ片５５，５７は真正面に対向して設けられているが、図１に示すように両仕掛け押さえ片５５，５７は、仕掛け取付用ベース体４１の上面４１ａに伏せた状態で、対向する他方の仕掛け押さえ片５７，５５と重合しないように、夫々、略中央から先端に亘り平面視Ｌ字状に切り欠かれて突片５５ａ，５７ａがクランク状に屈曲した僅かな間隔Ｓ１を空けて収納ケース２１の長手方向に並設されており、両仕掛け押さえ片５５，５７で押さえた釣糸５９は脱出し難く、両仕掛け押さえ片５５，５７を左右両側から仕掛け取付用ベース体４１の上面４１ａに伏せると、仕掛け取付用ベース体４１上に、恰も両仕掛け押さえ片５５，５７からなる１本の帯体が配置された形態を醸し出している。
【００１６】
このため、図１及び図２に示すように溝４９とスポンジ５１で仕掛け４７の釣針５３を挟持し、或いは釣針５３を直接スポンジ５１に刺して仕掛け４７を蓋体２５近傍の釣針保持部３９に取り付けると、釣針５３に結びつけられた釣糸（ハリス）５９が仕掛け取付用ベース体４１の上面４１ａを這うように乗せられることとなるが、両仕掛け押さえ片５５，５７を仕掛け取付用ベース体４１の上面４１ａに伏せることで、釣糸５９が仕掛け取付用ベース体４１の上面４１ａに押圧されて動きが規制され、仕掛け４７の絡みやほつれが防止される。
【００１７】
そして、両仕掛け押さえ片５５，５７は左右両側から中央側に閉じるため、一方の仕掛け押さえ片５５を閉じる際に釣糸５９が逃げても、他方の仕掛け押さえ片５７で押さえ込まれることとなる。
尚、両仕掛け押さえ片５５，５７は自重で仕掛け取付用ベース体４１上に倒れて、釣糸５９を押さえるようになっており、仕掛け押さえ片５５，５７は倒れる際に湾曲しない程度の剛性を有している。
【００１８】
そして、仕掛け４７を取り出す時は、仕掛け押さえ片５５，５７を倒したまま、釣針５３を釣針保持部３９から外し、釣糸５９の長手方向に引いて釣糸５９を仕掛け押さえ片５５，５７の下から引き抜けばよい。
更に、図２に示すように前記突片５５ａ，５７ａの先端は、仕掛け押さえ片５５，５７を仕掛け取付用ベース体４１の上面４１ａに伏せた状態で、当該上面４１ａから離間する斜め上方へ屈曲形成されて上面４１ａとの間に間隙Ｓ２が形成されている。そして、斯かる間隙Ｓ２が釣糸５９の差込口となって、両仕掛け押さえ片５５，５７を伏せたままこの間隙Ｓ２から仕掛け押さえ片５５，５７の下に釣糸５９を差し入れることができるようになっている。
【００１９】
而して、仕掛け押さえ片５５，５７の下面は、仕掛け取付用ベース体４１の上面４１ａに貼着されたり釣糸５９が引っ掛からないような平面状に形成されているが、更に、釣糸５９の差し入れがし易いように下面を滑面状に形成してもよい。
そして、斯様に突片５５ａ，５７ａの先端は斜め上方へ屈曲形成されているが、図２に示すように例えば一方の突片５５ａの先端に間隙Ｓ２が空いても、他方側の突片５７ａによって釣糸５９が押さえ込まれるようになっている。
【００２０】
尚、本実施形態では、仕掛け押さえ片５５，５７を仕掛け取付用ベース体４１の上面４１ａに回動可能に取り付けたが、収納ケース２１の内側側に取り付けてもよいし、仕掛け取付用ベース体４１の上面４１ａに伏せた状態で、釣糸５９を当該上面４１ａとの間で挟持するように仕掛け取付用ベース体４１側へ付勢されるようにしてもよい。
本実施形態に係る仕掛けケース６１はこのように構成されているから、釣行に当たり、仕掛け４７を仕掛けケース６１に収納するには、先ず、図２の二点鎖線で示すように仕掛け押さえ片５５，５７を起こして仕掛け取付用ベース体４１の上面４１ａを開放して、溝４９とスポンジ５１で仕掛け４７の釣針５３を挟持し、或いは釣針５３を直接スポンジ５１に刺して仕掛け４７を釣針保持部３９に取り付け、釣糸５９を仕掛け取付用ベース体４１の上面４１ａに這わる。
【００２１】
このようにして複数の仕掛け４７を仕掛け取付用ベース体４１上に取り付けた後、両仕掛け押さえ片５５，５７を仕掛け取付用ベース体４１の左右方向から上面４１ａへ倒せば、両仕掛け押さえ片５５，５７は、夫々、自重で仕掛け取付用ベース体４１上に倒れて仕掛け４７の釣糸５９を押さえるため、釣糸５９は動きが規制されて携帯時等での絡みやほつれが防止される。
【００２２】
而して、このとき、両仕掛け押さえ片５５，５７は左右両側から中央側に閉じるため、一方の仕掛け押さえ片５５を閉じる際に釣糸５９が逃げても、他方の仕掛け押さえ片５７で確実に押さえ込まれることとなる。
また、図２に示すように仕掛け押さえ片５５，５７を仕掛け取付用ベース体４１上に伏せた際に、突片５５ａ，５７ａの先端と上面４１ａとの間に間隙Ｓ２が形成されるため、両仕掛け押さえ片５５，５７を伏せて仕掛け４７を保持している状態で、新たな仕掛け４７の釣針５３を釣針保持部３９に取り付けて釣糸５９を間隙Ｓ２から仕掛け押さえ片５５，５７の下に差し入れれば、新たな仕掛け４７を仕掛けケース６１に収納することができる。
【００２３】
また反対に、仕掛けケース６１に収納された数個の仕掛け４７の中から、突片５５ａ，５７ａに最も近い仕掛け４７の釣針５３を釣針保持部３９から外して、その釣糸５９を両突片５５ａ，５７ａの先端から引き抜くこともでき、この時、間隙Ｓ１は屈曲して形成されているため、他の仕掛け４７の釣糸５９を引き出すことが防止される。
更に特許文献１の仕掛けケース１７と異なり、両仕掛け押さえ片５５，５７を伏せて仕掛け４７を保持している際に、仕掛け４７の収納，取出しのために仕掛け押さえ片５５，５７を引き上げても、他の仕掛け４７の釣糸５９が仕掛け押さえ片５５，５７に引っかかってしまうこともない。
【００２４】
以上述べたように、本実施形態によれば、釣針保持部３９に釣針５３が取り付く仕掛け４７の釣糸５９を両仕掛け押さえ片５５，５７が押圧，保持するため、仕掛け４７の移動が規制されて仕掛け４７が絡まることがなくなるが、両仕掛け押さえ片５５，５７は仕掛け取付用ベース体４１の左右両側から中央側に倒れて閉じるため、一方の仕掛け押さえ片５５を閉じる際に釣糸５９が逃げても、他方の仕掛け押さえ片５７でこれを確実に押さえ込むことができ、仕掛け４７の押さえ損ねが防止できる利点を有する。
【００２５】
更に、仕掛け押さえ片５５，５７は倒れる際に湾曲しない程度の剛性を有していることも、押さえ損ねを防止する。
また、既述したように仕掛け押さえ片５５，５７を仕掛け取付用ベース体４１上に伏せた際に、突片５５ａ，５７ａの先端と上面４１ａとの間に間隙Ｓ２が形成されるため、両仕掛け押さえ片５５，５７を伏せて仕掛け４７を保持している際に、新たな仕掛け４７の釣針５３を釣針保持部３９に取り付けて釣糸５９を間隙Ｓ２から仕掛け押さえ片５５，５７の下に差し入れることで、新たな仕掛け４７を仕掛けケース６１に収納することができ、また反対に、仕掛けケース６１に収納された数個の仕掛け４７の中から、突片５５ａ，５７ａに最も近い仕掛け４７の釣針５３を釣針保持部３９から外して、その釣糸５９を両突片５５ａ，５７ａの先端から引き抜くこともできる。
【００２６】
更に、特許文献１の仕掛けケース１７と異なり、両仕掛け押さえ片５５，５７を伏せて仕掛け４７を保持している際に、仕掛け４７の収納，取出しのために仕掛け押さえ片５５，５７を引き上げても、他の仕掛け４７の釣糸５９が仕掛け押さえ片５５，５７に引っかかってしまうことがない等、本実施形態によれば、仕掛け４７の収納や取出しが容易で作業性に優れた作用効果を有する。
【００２７】
図３は請求項１乃至請求項４に係る仕掛けケースの第二実施形態を示し、本実施形態は、前記仕掛け押さえ片５５，５７に代え、収納ケース２１と同一材料からなる左右一対の短冊状に形成された平板状の仕掛け押さえ片６３，６５を、仕掛け取付用ベース体４１の対向する左右の略中間に重ならないように長手方向に僅かな間隙Ｓ３を空けて位置をずらせて対向させ、左右両側から仕掛け取付用ベース体４１の上面４１ａに対し起伏可能としたもので、両仕掛け押さえ片６３，６５の先端６３ａ，６５ａ側は、仕掛け押さえ片６３，６５を仕掛け取付用ベース体４１の上面４１ａに伏せた状態で、当該上面４１ａから離間する斜め上方へ屈曲形成されて上面４１ａとの間に間隙が形成されている。
【００２８】
そして、本実施形態に於ても、斯かる間隙が釣糸５９の差込口となって、両仕掛け押さえ片５５，５７を伏せたままこの間隙から仕掛け押さえ片６３，６５の下に釣糸５９を差し入れることができるようになっている。
尚、その他の構成は図１の実施形態と同様であるので、同一のものには同一符号を付してそれらの説明は省略する。
【００２９】
本実施形態に係る仕掛けケース６７はこのように構成されており、本実施形態によっても、図１の仕掛けケース６１と同様、釣針保持部３９に釣針５３が取り付く仕掛け４７の釣糸５９を両仕掛け押さえ片６３，６５が押圧，保持するため、仕掛け４７の移動が規制されて仕掛け４７が絡まることがなくなると共に、両仕掛け押さえ片６３，６５が仕掛け取付用ベース体４１の左右両側から中央側に対向する方向に倒れて閉じるため、一方の仕掛け押さえ片６３を閉じる際に釣糸５９が逃げても、他方の仕掛け押さえ片６５でこれを確実に押さえ込むことができ、仕掛け４７の押さえ損ねが防止できる利点を有する。
【００３０】
また、仕掛け押さえ片６３，６５を仕掛け取付用ベース体４１上に伏せた際に、互いに重合しないように並設し、夫々の先端６３ａ，６５ａ側と上面４１ａとの間に間隙が形成されるため、両仕掛け押さえ片６３，６５を伏せて仕掛け４７を保持している際に、新たな仕掛け４７の釣針５３を釣針保持部３９に取り付けて釣糸５９を間隙から仕掛け押さえ片６３，６５の下に差し入れることで、新たな仕掛け４７を仕掛けケース６７に収納することができ、また反対に、仕掛けケース６７に収納された数個の仕掛け４７の中から、先端６３ａ，６５ａ側に近い仕掛け４７の釣針５３を釣針保持部３９から外して、その釣糸５９を両先端６３ａ，６５ａ側から引き抜くこともできる。
【００３１】
更に、本実施形態にあっても、特許文献１の仕掛けケース１７と異なり、両仕掛け押さえ片６３，６５を伏せて仕掛け４７を保持している際に、仕掛け４７の収納，取出しのために仕掛け押さえ片６３，６５を引き上げても、他の仕掛け４７の釣糸５９が仕掛け押さえ片６３，６５に引っかかってしまうことがない等、仕掛け４７の収納や取出しが容易で作業性に優れた作用効果を有する。
【００３２】
尚、上述した各実施形態では、仕掛け押さえ片５５，５７，６３，６５を平板状に形成したが、仕掛け押さえ片は例えば棒体であってもよいし、或いは線材を平面視Ｕ字状に屈曲させた構造でもよく、斯かる仕掛け押さえ片を用いても、既述した各実施形態と同様、所期の目的を達成することが可能である。
【図面の簡単な説明】
【００３３】
【図１】請求項１乃至請求項４の第一実施形態に係る仕掛けケースの平面図である。
【図２】図１に示す仕掛けケースの断面図である。
【図３】請求項１乃至請求項４の第二実施形態に係る仕掛けケースの平面図である。
【図４】従来の仕掛けケースの平面図である。
【図５】図４に示す仕掛けケースの側面図である。
【符号の説明】
【００３４】
２１  収納ケース
２３，３１  側壁
２５  蓋体
２７  ヒンジ部材
３７  蓋止め部材
３９  釣針保持部
４１  仕掛け取付用ベース体
４５  脚部突片
４７  仕掛け
４９  溝
５１  スポンジ
５３  釣針
５５，５７，６３，６５  仕掛け押さえ片
５５ａ，５７ａ  突片
５９  釣糸
６１，６７  仕掛けケース
【図１】
2007174961.tif 000003
【図２】
2007174961.tif 000004
【図３】
2007174961.tif 000005
【図４】
2007174961.tif 000006
【図５】
2007174961.tif 000007